(57)【特許請求の範囲】
【請求項１】
心室からおよび関連した血管を通して血液を圧送するための血管内システムであって、
血管内に挿入されるように構成されたポンプ装置と、
前記ポンプ装置に連結された近位端、前記心室から出る血液を収集するように構成された遠位端、および前記遠位端から前記近位端へと延在し前記心室から集められた血液を送る第１の内腔を備え、軸に沿って延在するカテーテルと、
を備え、
前記カテーテルが、前記遠位端に近接する螺旋部を備え、前記螺旋部が、前記血管壁に合う形状に予備成形されて、少なくとも安定性を補助するとともに前記血管内に前記ポンプ装置を位置決めし、前記螺旋部が、前記軸を横切る平面にほぼ平行に前記軸の周りに延在し、かつ前記軸を向いている内側部、および前記軸と反対側を向いている外側部を含み、
前記外側部が、連続的な一体壁をさらに備え、かつ前記内側部が、少なくとも１つの入口開口部を前記螺旋部の第１の内腔内にさらに備え、前記少なくとも１つの入口開口部が前記軸に面するように位置決めされて、前記血管壁の吸い込みを最小化することを特徴とするシステム。
【請求項２】
前記カテーテルがさらに第２の内腔を含み、
前記システムが前記第２の内腔内に挿入されたワイヤをさらに備え、前記ワイヤが前記カテーテルの螺旋部の形状を規定するように構成されていることを特徴とする請求項１に記載のシステム。
【請求項３】
前記カテーテルは１つ又は２つ以上の放射線不透過性マークをさらに含み、血管システム内での前記カテーテルと前記ポンプ装置との位置決めを容易にしていることを特徴とする請求項１に記載のシステム。
【請求項４】
前記カテーテルは、前記遠位端内のガイドワイヤ入口ポートと、前記近位端内のガイドワイヤ出口ポートと、をさらに備え、前記ガイドワイヤ入口ポートおよび前記ガイドワイヤ出口ポートが、前記第１の内腔と連通していることを特徴とする請求項１に記載のシステム。
【請求項５】
前記ポンプ装置は、
前記カテーテルに連結された第１端部と、該第１端部から前記軸に沿って延在した管状ボディと、具備し、前記管状ボディが外側面と該外側面を通って延在した少なくとも１つの側部流出口を備えた前記ポンプハウジングと、
前記ポンプハウジングの管状ボディ内に配置されたポンプと、
前記ポンプハウジングに連結されたモータハウジングと、
前記モータハウジング内に配置され、血液が前記ポンプハウジングを通して前記カテーテルから引き込まれ、かつ少なくとも１つの前記側部流出口から出て行くようにポンプを作動するように構成されたモータと、
を具備していることを特徴とする請求項１に記載のシステム。
【請求項６】
前記ポンプ装置は、
前記カテーテルに連結された第１端部と、該第１端部から前記軸に沿って延在した管状ボディと、を有するポンプハウジングと、
前記ポンプハウジングの前記管状ボディ内に配置されたポンプと、
前記ポンプハウジングに連結されたモータハウジングであって、前記モータハウジングが第１直径を有しかつ前記管状ボディが第２直径を有し、前記ポンプハウジングが前記管状ボディと前記モータハウジングとの間で前記軸に沿って延在する出口を規定するように、前記第１直径が前記第２直径よりも小さい前記モータハウジングと、
前記モータハウジング内に配置されたモータであって、血液が前記ポンプハウジングを通して前記カテーテルから引き込まれかつ前記出口から出て行くように、前記モータが前記ポンプを作動するように構成されている前記モータと、
を具備していることを特徴とする請求項１に記載のシステム。
【請求項７】
前記軸に沿って前記モータに連結されている電力ケーブルをさらに備えることを特徴とする請求項６に記載のシステム。
【請求項８】
前記モータハウジングが前記軸に沿って延在するドーム形状の部分を有し、前記ドーム形状の部分が血液の澱んだ領域を防ぐように構成されていることを特徴とする請求項５に記載のシステム。
【請求項９】
前記ポンプ装置が、
ポンプハウジングと、
前記ポンプハウジングに連結されたモータハウジングと、
を備え、前記ポンプハウジングが、前記カテーテルに連結されたポンプ入口ハウジングと前記モータハウジングに連結されたポンプ出口ハウジングとにより規定されていることを特徴とする請求項１に記載のシステム。
【請求項１０】
前記ポンプ出口ハウジングは、前記モータハウジングを前記ポンプ出口ハウジングに連結する少なくとも２つのベーンをさらに含んでいることを特徴とする請求項９に記載のシステム。
【請求項１１】
前記軸に沿って前記モータハウジングに連結されている電源ケーブルをさらに備えることを特徴とする請求項５に記載のシステム。
【請求項１２】
前記モータハウジングは前記軸に沿って延在するテーパ部を備え、前記テーパ部が血液の澱んだ領域を防ぐように構成されていることを特徴とする請求項６に記載のシステム。
【発明の詳細な説明】
【技術分野】
【０００１】
本願は２００６年９月１４日に出願された仮出願６０／８２５，６２２号明細書、および２００６年１２月１８日に出願された６０／８７０，４３６号明細書の優先権の利得を主張するものであり、その開示内容は参照されることによって完全にここに組み込まれている。
【０００２】
本発明は血管内血液ポンプに関し、より具体的には、動脈を通る血液を圧送するための血管内血液ポンプシステムに関する。
【背景技術】
【０００３】
血管内血液ポンプは血液ポンプまたは循環補助装置の部類であり、患者の血管システム（例えば静脈または動脈）内に経皮的様式または手術的様式のいずれかで埋め込まれてもよい。それらは、血液の体積が心臓の左または右側から送出されることを補助するために使用される。特定の血管内ポンプは軸流血液ポンプとして一般的に知られており、そのポンプは保護ハウジングによって囲まれたロータまたはインペラを含んでいる。これらの構成要素（すなわちポンプ、ロータおよびハウジング）およびそこに接続された他の任意の構成要素は、柔軟なカテーテルの遠位端に連結されている。一例としては、カテーテルは血管システム内に挿入され、一般的には遠隔操作で大体動脈内にアクセスするようにされてもよい。カテーテルは最終的には上行動脈に向けられ、上行動脈内で心臓の左側に隣接して配置される。埋め込まれたポンプに関連した１つ以上のインペラブレードの回転力は、機械的接続および駆動、例えば磁力接続および駆動を利用して与えられる。
【発明の概要】
【発明が解決しようとする課題】
【０００４】
血液ポンプおよびシステムのこの分野において改良が行われているにもかかわらず、改良を提供する要求が残っている。例えば、全体的にはガイド、位置決め、安定性、およびそのような血液ポンプを組み込んだ血管内血液ポンプとシステムとの操作に関するものである。
【課題を解決するための手段】
【０００５】
図示された実施形態において、心臓のカテーテルから、そこに流体的に連通するように連結された、関係する血管を通して血液を圧送するための血管内システムが提供されている。そのシステムは血管内に挿入されるように構成されたポンプ装置を含んでいる。そのシステムはポンプ装置に連結された近位端と心室内にまたは心室から出る血液を収集するように構成された遠位端とを備えたカテーテルをさらに含んでいる。カテーテルは少なくとも安定性を補助するために、血管に一致する形状に予備成型された形状を備えており、血管内でポンプ装置を位置決めしている。
【０００６】
ここに含まれるあらゆる実施形態において使用されるカテーテルは、第１および第２の内腔をさらに含んでいる。第１の内腔は遠位端から近位端へと血液を輸送するように構成されており、そのシステムは第２の内腔内に挿入されたワイヤをさらに具備し、ワイヤはカテーテルの予備成型された形状を形成するように構成されていてもよい。カテーテルは螺旋部をさらに具備し、螺旋部は血管内で遠位端に容易に固定されるように構成されていてもよい。カテーテルの少なくとも一部は軸に沿って延在し、螺旋部は軸を横切る平面に平行に全体的に軸の周りに巻きついていてもよい。カテーテルは遠位端から近位端へと延在した内腔と、螺旋部の内腔内への少なくとも１つの入口開口部と、をさらに具備していてもよい。少なくとも１つの入口開口部は軸に全体的に面するように配置されて血管壁の吸い込みを最小化していてもよい。
【０００７】
また、様々な実施形態において、カテーテルは放射線不透過性マークをさらに含み、血管システム内でのカテーテルとポンプ装置との位置決めを容易にしていてもよい。
【０００８】
カテーテル内部の内腔は遠位端から近位端へと延在し、遠位端において内腔に連通したガイドワイヤ入口ポートを備え、近位端において内腔に連通したガイドワイヤ出口ポートを備えている。
【０００９】
ポンプ装置が提供され、その装置はここに含まれるあらゆる実施形態に関係して利用可能である。ポンプ装置はカテーテルに連結された第１端部と、その第１端部から軸に沿って延在した管状ボディと、を具備している。管状ボディは外側面とその外側面を通って延在した少なくとも１つの側部流出口を備えている。ポンプはポンプハウジングの管状ボディ内に配置されている。モータハウジングもポンプハウジングに連結され、モータはモータハウジング内に配置されている。モータはポンプを操作して血液が前記ポンプハウジングを通して引き込まれ、且つ前記少なくとも１つの側部開流出口から出て行くようにしている。
【００１０】
別の実施形態において、カテーテルから血液を圧送するための血管内ポンプ装置が提供され、その装置はカテーテルに連結されるように適合された第１端部と、第２端部と、軸に沿って第１端部と第２端部との間に延在した管状ボディと、を備えたポンプハウジングを含んでいる。ポンプはポンプハウジングの前記管状ボディ内に配置されている。モータハウジングは軸に沿ってポンプハウジングに連結され且つ第２端部に隣接して配置されている。モータハウジングは管状ボディよりも小さい直径を有し、ポンプハウジングが軸に沿って管状ボディとモータハウジングとの間に延在した流出口を形成している。モータはモータハウジング内に配置され、前記ポンプを操作して血液が前記カテーテルから引き込まれて前記ポンプハウジングの前記管状ボディを通って移動し且つ前記流出口から出ていくようにされている。
【００１１】
ここに含まれるあらゆる実施形態に関係して利用可能なポンプ装置に関しては、電力ケーブルが軸または管状ボディの縦方向に沿って前記モータハウジングに連結されてもよい。モータハウジングはテーパ部を備えていてもよく、例えば、例えば、全体的に軸または縦方向に沿っていてもよい。ポンプハウジングはカテーテルに連結されたポンプ入口ハウジングと、モータハウジングに連結されたポンプ出口ハウジングと、によって形成されていてもよい。ポンプ出口ハウジングは、モータハウジングをポンプ出口ハウジングに連結する少なくとも２つのベーンをさらに含んでいてもよい。
【００１２】
多様な付加的特徴および本発明の実施形態ならびに範囲が、以下の添付図とあわせて記載された実施形態の詳細な記載を検討することによって、明確になるだろう。
【図面の簡単な説明】
【００１３】
【図１】血液ポンプシステムの一実施形態の斜視図を示している。
【図２】図１に示された血液ポンプシステムのポンプ装置の正面図を示している。
【図３】図１の血液ポンプシステムで使用されているカテーテルの一部の正面図を示している。
【図４】図３のカテーテルの一部の側面図を示している。
【図５】血液ポンプシステムの別の実施形態の斜視図を示している。
【図６】図５に示された血液ポンプシステムのポンプ装置の正面図を示している。
【図７】図６に示されたポンプ装置の流出口の斜視図を示している。
【図８】血液ポンプシステムの別の実施形態の正面図を示している。
【図９】図８に示された血液ポンプシステムの拡大図を示しており、入口ハウジングを示すための部分断面を示した図である。
【図１０】図９に示された血液ポンプと流入口領域との更なる拡大図であり、入口ハウジングと血液ポンプとの内部構造を示すための部分断面を示した図である。
【発明を実施するための形態】
【００１４】
図１を参照すると、血管内血液ポンプシステム１０の一実施形態が示されている。システムは一般的にポンプ装置１２、カテーテル１４、およびポンプ装置１２に電源を供給するためのポンプケーブル１６を含んでいる。システム１０は静脈または動脈のような血管内に挿入されるように構成されており、血液を心腔または少なくとも心腔の出口近傍の位置から、関連した血管を介して血液を圧送しており、そのことは以下において詳細に記載されている。
【００１５】
図１および２に示されているように、ポンプ装置１２は、カテーテル１４の遷移部２２に連結された第１端部２０を備えた長いポンプハウジング１８と、ポンプハウジング１８の長手軸２６に沿って第１端部２０から延伸している管状ボディ２４とを含んでいる。第１端部２０は返し（barbs）、接着剤、または任意の他の連結技術によって、遷移部２２に固定されていてもよい。一実施形態において、環状ボディ２４はポンプ入口ハウジング２８とポンプ出口ハウジング３０とで形成されている。ポンプ入口ハウジング２８とポンプ出口ハウジング３０とは内部ねじ、接着剤、レーザ溶接、または任意の他の適切な連結技術によって共に固定されていてもよい。血液ポンプの多様な要素がポンプハウジング１８内に収容されており、管状ボディ２４内にカテーテル１４から血液を引き込む。例えば、血液ポンプはポンプ入口ハウジング２８内に配置されたインペラ３３およびインペラブレードを具備していてもよい。ポンプ出口ハウジング３０に隣接したモータハウジング３２内に配置されたモータ３５はインペラ３３を回転させ、管状ボディ２４を通して血液を引き込む。インペラ３３とモータ３５とは概略的にのみ示されており、様々な形式であってよく、一般的には図９および１０に示されたような形式を含んでいてもよい。
【００１６】
モータハウジング３２はポンプ出口ハウジング３０と密封して連結されていてもよく、遷移部２２はポンプ入口ハウジング２８と密封して連結されて、管状ボディ２４内の血液の流れを制御する補助を行ってもよい。１つ以上の側面出口ポート、スロット、または開口３４はポンプ出口ハウジング３０の外面３６を通って延在し、ポンプによってカテーテル１４を通して管状ボディ２４内に引き込まれた血液は、システム１０が挿入された静脈または動脈のような血管に供給される。鋭いエッジを排除し、血流の澱んだ領域が形成されることを防止するためにモータハウジング３２は図示されたようなドーム形状の構成にデザインされてもよい。モータハウジング３２は長手軸２６に沿ったポンプケーブル１６に連結されるように構成されてもよい。そのような処置は澱みの量をさらに減少させ、血栓の形成を最小化する。
【００１７】
図１、３および４を参照すると、カテーテル１４は遷移部２２に連結された近位端４０（図１）と、心室のような心腔から出る血液を収集するように構成された遠位端４２と、カテーテル１４内で近位端４０と遠位端４２との間に延在している内腔１４ａとを含んでいる。より具体的には、遠位端４２は軸４６に沿って延在している略直線部４４と、軸４６周りに延在している略螺旋部４８とを備えている。螺旋部４８は第１に軸４６に巻きつく前に軸４６から横方向に伸展し、軸４６を横切る平面に全体的に平行に螺旋を構成している。例えば、螺旋部４８は、軸４６に略直交した面内において略直線部４４から延在している横断セクション５０を含んでいてもよい。横断セクション５０の長さは、螺旋部４８によって形成された所望された螺旋の直径に強く依存していてもよい。螺旋の直径は好適に十分に大きく、螺旋部４８の外側面５２が、カテーテル１４が挿入される欠陥の壁に接触するか、または相互作用する程度である。そのような処置はカテーテル１４を血管内に固定して安定させ、および容易に引っ込めないようにしてもよい。カテーテル１４は所望の形状を形成し、螺旋部４８はカテーテルの挿入後も螺旋形状を維持するようにされてもよい。その様子は以下に詳述されている。
【００１８】
螺旋部４８は完全螺旋の少なくとも半分を形成し、カテーテル１４の外形よりも大きいかまたは同等のピッチを有していてもよい。入口開口部５４は螺旋部４８の内側面５６に配置され、カテーテル１４の内腔１４ａと連通している。入口開口部５４は円形、楕円形、三角形、または他の形状であってもよく、それらの横断面の断面積はカテーテル内腔１４ａの横断面の断面積よりも大きくてもよい。より大きい横断面の断面積は、ポンプ装置１２が稼動されたときに、血液が心腔１４ａ内におよび心腔１４ａを通して自由に引き込まれることを可能にしている。また、入口開口部５４が内壁５６に配置され、全体的に軸４６に向かって面していることの効力によって、カテーテル１４は、ポンプ１２が稼動されたときの、血管壁と構造との調整を伴った“吸引効果”を回避している。言い換えると、入口開口部５４は血管壁と係合しない。
【００１９】
カテーテル１４とポンプ装置１２とは様々な方法で血管内に挿入されてもよい。例えば一実施形態において、カテーテル１４は遠位点７２にガイドワイヤ入口ポート６０を含んでおり、遷移部２２の近傍にガイドワイヤ出口ポート６２を含んでいてもよい。ガイドワイヤ６３が血管内に挿入された後、カテーテル１４はガイドワイヤ６３が適切に配置されるまで、ガイドワイヤ６３を超えて進められてもよい。ガイドワイヤ６３はガイドワイヤ出口ポート６２を通して引っ込められることによって、その後除去されてもよい。代替的な実施形態において、カテーテル１４はシース（図示略）を通して血管内に挿入されてもよく、したがって、ガイドワイヤ入口ポート６０と出口ポート６２とを必要としない。親水性コーティングが、血栓の形成を最小化するためにカテーテルに適用されてもよい。
【００２０】
カテーテル１４は様々な材料で形成されてもよく、限定するものではないが、シリコンおよびポリウレタンでもよい。カテーテル１４はワイヤブレイドまたはコイルを組み込んだ複合的な構成から成っていてもよい。上述のように、カテーテル１４は螺旋状または他の形状に予備成型されて、螺旋部４８は挿入後もその形状を維持するようにされていてもよい。言い換えると、ガイドワイヤまたは他の挿入技術を使用して、カテーテル１４が操作されて、拡大され、血管内に進行され、拡張され、非螺旋形状または直線形状とされた後で、螺旋部４８はガイドワイヤ、シール、または他の拘束部材を除去することで、予備成型された螺旋形状へと回復することが可能である。一実施形態において、カテーテル１４は標準的な加熱成型技術を利用して螺旋形状に呼び成型される。他の実施形態において、カテーテル１４は、螺旋形状を形成するために、予備成型されたＮｉＴｉまたは他の形状記憶ワイヤもしくは材料（図示略）を組み込んでいる。ワイヤは別々に配置されてもよく、内腔のみ、またはそでなければカテーテル１４内に組み込まれてもよい。したがって、そのような実施形態において、カテーテル１４は２つの内腔を備え、１つは血液をポンプ装置に供給するためであり、もう１つはＮｉＴｉワイヤを受容するためである。
【００２１】
システム１０はエンドバスクラ（endovascular）技術を利用して血管内に供給されてもよく、特定の心腔を補助するようにデザインされてもよい。例えば、右心室を補助するようにデザインされている場合、血液ポンプ装置１２は三尖弁に向かって延在しているカテーテル１４とともに大静脈内に皮下挿入されてもよい。左心室を補助するようにデザインされている場合、血液ポンプ装置１２は大動脈弁に向かって延在しているカテーテル１４とともに下行大動脈内に皮下挿入されてもよい。したがって、ポンプ装置１２は血管システムの血管内に受容されるサイズとされてもよい。一実施形態において、ポンプハウジング１８は外形が約１３ｍｍである。
【００２２】
血管システム内に適切に配置されたシステム１０は様々な血管の曲げおよび巻きによって明確な課題と成り得る。これらの課題を解決するために、カテーテル１４は適切なサイズの直線領域４４，６４，６５、および曲線領域６６の結合から成っていてもよい。例えば、曲線領域６６は、システムが左心室を補助するために使用されている場合、大動脈弓の曲率を反映するようにデザインされてもよい。さらに、近位端４０における領域６５の長さはポンプ装置１２の位置が曲線領域とすぐ隣接するような短い距離が選択されてもよく、曲線領域６６は（大動脈弓近傍の位置に対応した曲線領域６６を伴った大動脈であるような）血管内、または腸骨動脈内の分岐点上でエンドバスクラ入口位置（典型的に大体動脈）近傍のポンプ装置１２の位置からより離れていてもよい。様々なカテーテル領域４４，６４，６５，６６の形状は冠状動脈アクセスに使用されるガイドカテーテルの形状と類似している。カテーテル領域も、螺旋部４８に関しする上述の技術と同様の技術を使用して、所望の形状に予備成型されてもよい。
【００２３】
血管システム内の位置決めをさらに補助するために、カテーテル１４は１つ以上の放射線不透過バンド７０を、カテーテル１４に沿った所望の位置に含んでいてもよく、図１および図３は遠位端４２の略直線部４４の２つの放射線不透過バンド７０を図示している。遠位端４２にも放射線不透過チップ７２が設けられ、大動脈または三尖弁のような身体構造上の目印に関係したシステムの配置をさらに容易にしてもよい。
【００２４】
ここで図５〜７を参照すると、第２の実施形態による血管内血液ポンプシステム１１０が図示されている。システム１１０はシステム１０と同一のカテーテル１４と、ポンプケーブル１６とを含んでいる。したがって、図１〜４の要素を参照することが可能であり、システム１０と１１０との間の異なった部分のみが詳細に記載されている。
【００２５】
システム１１０は、カテーテル１４の遷移部２２に連結された第１端部１２０を伴った長いポンプハウジング１１８を備えたポンプ装置１１２を含んでいる。環状ボディ１２４は軸１２６に沿って第１端部１２０から延在し、第２端部１２８で終了している。一実施形態において、ポンプ入口ハウジング１３０とポンプ出口ハウジング１３２とは管状ボディ１２４を形成している。管状ボディ１２４は、図８〜1０に図示されたおよび以下にさらに記載されたようなポンプの様々な要素を収容している。モータ（図示略）はモータハウジング１３４内に収容され、管状ボディ１２４内にまたは管状ボディ１２４を通して血液を引き込むポンプの要素を駆動している。
【００２６】
ポンプ装置１１２を出て行く血液のための側部ポートを組み込む代わりに、ポンプハウジング１１８は第２端部１２８に開口または出口１４０を形成している。モータハウジング１３４は第２端部１２８近傍に配置されているが、モータハウジング１３４は出口１４０よりも小さい直径であり、インペラブレードはポンプ装置１２の外部および血管内に血液を圧送することが可能である。モータハウジング１３４は図示されたようなテーパ部を備えるようにデザインされてもよく、テーパ部は血流の突然の変化を防止し、血栓の領域を最小化している。ポンプと出口１４０との同軸配置は、ポンプ装置１１２が壁に対して直接的な流れの力を負荷することなく血管壁に隣接して配置されることを可能にしている。
【００２７】
図７に示されているように、モータハウジング１３４はベーン１４４によってポンプハウジング１１８に連結されてもよい。装置１１２は好適に少なくとも２つのベーン１４４を組み込んでおり、操作の間モータハウジング１３４を固定している。ベーン１４４は管状ボディ１２４を通した血流の途絶を最小化するようにデザインされた外形を備えている。さらに、ベーン１４４がモータハウジングに連結され、ポンプハウジングが血栓形成、および管状ボディを通した血流への任意の潜在的な損傷を最小化するように半径が与えられる。
【００２８】
図８〜１０は第３の実施形態による血液ポンプシステム１６０を示している。システム１６０は適切なケーブル１６４から動力を受容するポンプ装置１６２を含み、ケーブルの形状は患者の血管システムを通して挿入されることが可能なカテーテル装置である。ポンプ１６２は血液流入チップ１６８を備えた末端カテーテル部１６６に接続されている。カテーテル部１６６は図示されたように角度が付けられて予備成型されている。血液流入チップ１６８は適切な開口部１６８ａを含み、それはチップ部１６８内に血液が引き込まれることを可能にするためである。血液流出口または出口１７０にはポンプ１６２が隣接して設けられている。図９および１０をさらに詳細に参照すると、血液流出口はポンプロータ１７２に隣接した開口部１７０を具備し、そのポンプロータはポンプモータ１７６の回転出力１７４に磁力により連結されている。したがって、ポンプモータ１７６は完全に密封され、個々の永久磁石はポンプロータ１７２に担持され、回転出力１７４は出力１７４からロータ１７２に回転を伝達し、ロータ１７２は流入口ハウジング１８０内で回転を支援されている。システム１６０の１つの適切な使用において、血管内ポンプ１６２は患者の大動脈内に存在していてもよく、流入チップ１６８は患者の左心室内に存在するように大動脈弁を通して延在するチップ部１６６を備えていてもよい。したがって、血液は心室から開口部１６８ａを介して流入チップ１６８内に引き込まれ、その後チップ部１６６を通って進み、患者の大動脈内へ流出開口部１７０から出て行く。これは患者の左心室からの血液の送出を補助することになる。
【００２９】
本発明は様々な実例となる実施形態の記載によって描写され、これらの実施形態はいくらか詳細に記載された一方で、そのような詳細事例に応用を制限または添付された請求の範囲を決して限定するものではない。付加的な利点および改良が当業者によって明確にされるだろう。本発明の様々な特徴はユーザの必要性および優先により単独で、または任意に結合して使用されてもよい。これは現在知られている本発明の好適な実施方法に沿って記載されている。しかしながら、本発明自身は添付された請求の範囲によってのみ定められる。
【符号の説明】
【００３０】
１０，１１０，１６０  ・・・血管内血液ポンプシステム
１２，１１２，１６２  ・・・ポンプ装置
１４  ・・・カテーテル
１４ａ  ・・・内腔
１６  ・・・ポンプケーブル
１８，１１８  ・・・ポンプハウジング
２４，１２４  ・・・管状ボディ
２８，１３０  ・・・ポンプ入口ハウジング
３０，１３２  ・・・ポンプ出口ハウジング
３２，１３４  ・・・モータハウジング
３３  ・・・インペラ
３５  ・・・モータ
４４  ・・・直線部
４６  ・・・軸
４８  ・・・螺旋部
５４  ・・・入口開口部
６０  ・・・ガイドワイヤ入口ポート
６２  ・・・ガイドワイヤ出口ポート
６３  ・・・ガイドワイヤ
７０  ・・・放射線不透過バンド
１６６  ・・・末端カテーテル部
１６８  ・・・血液流入チップ
【図１】
0005457182.tif 000002
【図２】
0005457182.tif 000003
【図３】
0005457182.tif 000004
【図４】
0005457182.tif 000005
【図５】
0005457182.tif 000006
【図６】
0005457182.tif 000007
【図７】
0005457182.tif 000008
【図８】
0005457182.tif 000009
【図９】
0005457182.tif 000010
【図１０】
0005457182.tif 000011